(57)【特許請求の範囲】
【請求項１】
一群の紙巻煙草と、
該一群の紙巻煙草を収容する外箱（２）であって、互いに平行に向かい合う上壁（７）及び底壁（８）と、該上壁（７）及び底壁（８）と垂直を成し前記上壁（７）の端縁部を前記底壁（８）の端縁部を接続するように長手方向に延びる４つの側壁（９，１０，１１）とから成る六面体の形態の外箱（２）とを有し、
前記上壁（７）及び底壁（８）は、それぞれ、主底辺と副底辺を有する台形の形をした、紙巻煙草又はその類似物のための硬質パケット（１）において、
前記上壁（７）と前記底壁（８）は、上壁（７）の前記主底辺が前記外箱（２）の後壁（１０）に位置し、底壁（８）の前記主底辺が前記外箱（２）の前壁（９）に位置するように、あるいは、逆に、上壁（７）の前記主底辺が前記外箱（２）の前壁（９）に位置し、底壁（８）の前記主底辺が前記外箱（２）の後壁（１０）に位置するように、互いに対して異なって配向され、更に
前記上壁（７）及び底壁（８）と平行な前記外箱（２）の断面は、長手方向に連続に変化して上壁（７）の台形を底壁（８）の台形へと接続することを特徴とするパケット。
【請求項２】
前記上壁（７）及び底壁（８）と平行な前記外箱（２）の断面は、如何なる位置においても同じ周長を有することを特徴とする請求項１に記載のパケット（１）。
【請求項３】
４つの長手方向端縁部（１２）は、その全長に沿って一定の形状及びサイズの各々で、４つの側壁（９，１０，１１）の間に形成されていることを特徴とする請求項２に記載のパケット（１）。
【請求項４】
前記外箱（２）は２つの大側面（９，１０）を有し、その一方は前記上壁（７）の主底辺を底壁（８）の副底辺に接続し、その他方は前記上壁（７）の副底辺を底壁（８）の主底辺に接続することを特徴とする請求項２又は３に記載のパケット（１）。
【請求項５】
前記外箱（２）は２つの小な側面（１１）を有し、その各々は前記上壁（７）の斜辺を前記底壁（８）の斜辺に接続することを特徴とする請求項２又は３に記載のパケット（１）。
【請求項６】
上壁（７）の斜辺（７）と、同じ小側壁（１１）に接続された底壁（８）の斜辺とは、対応する基部（７，８）について反対側に傾斜しており、各小側壁（１１）は螺旋形状であることを特徴とする請求項５に記載のパケット（１）。
【請求項７】
前記上壁（７）の台形底辺は前記底壁（８）の台形底辺と平行であることを特徴とする請求項１〜６のいずれか一項に記載のパケット（１）。
【請求項８】
前記上壁（７）の台形と前記底壁（８）の台形は（８）は等脚台形であることを特徴とする請求項１〜７のいずれか一項に記載のパケット（１）。
【請求項９】
前記外箱（２）の前記上壁（７）及び底壁（８）に対して平行でかつ前記上壁（７）と前記底壁（８）の間の長手方向中央に位置する断面は矩形であることを特徴とする請求項７又は８に記載のパケット（１）。
【請求項１０】
前記一群の紙巻煙草の断面は前記外箱（２）の長手方向の中央に位置する断面と同様の矩形形状及び大きさであることを特徴とする請求項９に記載のパケット（１）。
【発明の詳細な説明】
【技術分野】
【０００１】
本発明は紙巻煙草の硬質パケットに関する。
【０００２】
以下の説明では、便宜上、限定されない一例として純粋に紙巻煙草の硬質ヒンジ蓋付きパケットが参照される。
【背景技術】
【０００３】
紙巻煙草（又は、シガー、シガリロ、あるいはそれと同等物）の硬質ヒンジ蓋付きパケットは、カップ状の外箱と、この外箱にヒンジ付けられ開き位置と閉じ位置との間を移動する蓋とを備える。外箱は、アルミ箔に包装された紙巻煙草の一群を有する内パッケージを収容する区画を画成し、内パッケージのサイズ（即ち、紙巻煙草群）に基づいて寸法が決められ、外箱の壁間に紙巻煙草群をしっかりと保持し、煙草製造工場から消費者に至る間の紙巻煙草群の運搬、取り扱い時においても、外箱に対して紙巻煙草群が移動しないように、また群内で隣り合う煙草同士が相対的に移動してしまわないようになっている。紙巻煙草が外箱内部で僅かにでも移動してしまうことは、結果として煙草先端（フィルタの反対側）から煙草がこぼれ落ちたり、紙巻煙草が曲がってしまったり、ともすると割れたりすることにもなるため、紙巻煙草の箱内移動を防止する必要がある。
【０００４】
一方、この種の紙巻き煙草パケットは、また、特にフルパケットの状態（即ち、パケットが開封された状態）から煙草を容易に引き出せるようなものでなければならない。このことは、紙巻煙草が外箱の内部にかなり緩く収容されなければならないことを意味しており、上述したように紙巻煙草の一群を所定の位置にしっかりと保持する必要性とは明らかに対照を成すものである。
【０００５】
事実、既知のヒンジ蓋付き紙巻煙草硬質パケットの設計は、輸送取り扱い時の移動阻止のため外箱内部で紙巻煙草をしっかり保持すること、及びフルパケット状態からの煙草引き出しを容易ならしめるために紙巻煙草間にある程度の間隙をもたせること、の以上、２つの要求の間で二律背反の関係を示している。
【０００６】
この問題を解決するために、ある特許文献は、外箱が３つの直交する主軸線を有し、それぞれがこれら３主軸線の内の２つに平行な多数の主要壁面と、少なくとも２つの主要壁面間に位置して３主軸線に対してゼロ以外の所定角度を成すような少なくとも１つの接続壁面とによって画成されることで、外箱の断面が各主軸線に沿って変化するような紙巻煙草のヒンジ蓋付き硬質パケットが提案している（例えば、特許文献１参照。）。しかしながら、この紙巻煙草パケットは、標準的な（商用の）包装機で製造するには非常に複雑であり、しかるに同等の標準的包装機よりもはるかに高価な特別設計の機械を必要とする。また、ある特許文献は、一定の台形断面を有する紙巻煙草のヒンジ蓋付き硬質パケットを開示している（例えば、特許文献２参照。）。しかしながら、このパケットは上述した問題を解決していない。
【先行技術文献】
【特許文献】
【０００７】
【特許文献１】欧州特許第０９３０２４５号
【特許文献２】独国実用新案第２０２０１０００２０９６号
【発明の概要】
【発明が解決しようとする課題】
【０００８】
本発明の目的は、上記の欠点を解消すると共に安価で、製造が容易な紙巻煙草の硬質パケットを提供することにある。
【課題を解決するための手段】
【０００９】
本発明によれば、特許請求の範囲の紙巻煙草の硬質パケットが提供される。
【００１０】
以下、添付図面を参照しながら、本発明による多数の非限定的実施形態を例証として説明する。
【図面の簡単な説明】
【００１１】
【図１】閉じた状態にある本発明による紙巻煙草のヒンジ蓋付き硬質パケットを斜め前方から見た図である。
【図２】閉じた状態にある図１の紙巻煙草パケットを斜め後方から見た図である。
【図３】開いた状態にある図１の紙巻煙草パケットを斜め前方から見た図である。
【図４】図１の紙巻煙草パケットの上側を示した図である。
【図５】図１の紙巻煙草パケットの下側を示した図である。
【図６】図１の紙巻煙草パケットの断面を示した図である。
【図７】図１の紙巻煙草パケットの断面を示した図である。
【図８】図１の紙巻煙草パケットの断面を示した図である。
【図９】図１の紙巻煙草パケットを形成するために内側パッケージの周りに折り畳まれる白紙の展開図である。
【図１０】図１の紙巻煙草パケットのカラーの展開図である。
【図１１】閉じた状態にある本発明による更なる紙巻煙草のヒンジ蓋付き硬質パケットを斜め前方から見た図である。
【図１２】図１１の紙巻煙草パケットを形成するために内側パッケージの周りに折り畳まれる白紙の展開図である。
【図１３】閉じた状態にある本発明による更なる紙巻煙草のヒンジ蓋付き硬質パケットを斜め前方から見た図である。
【図１４】図１３の紙巻煙草パケットを形成するために内側パッケージの周りに折り畳まれる白紙の展開図である。
【図１５】図９の白紙を変形させたものの展開図である。
【図１６】カートンを成す図１の硬質紙巻煙草パケット群を示した図である。
【図１７】カートンを成す図１の硬質紙巻煙草パケット群を示した図である。
【発明を実施するための形態】
【００１２】
図１、図２及び図３の参照番号１は紙巻煙草の硬質パケット全体を示しており、同パケットは硬質ボール紙からなる外箱２と、その外箱２内に収容され紙巻煙草の１群（断面は図７に示す）を包み、その上部前側に開口する煙草抜き出しを備えた内側パッケージ３とを有する。紙巻煙草の１群は、従来からの７／６／７本（合計２０本）からなる３列構成、あるいはその他の構成（例えば、１０／１０本の２列構成や５／５／５／５本の４列構成）で配置されるようにしても良い 。
【００１３】
外箱２は、開口上端４と、ヒンジ６に沿って外箱２にヒンジ付けられ、外箱２に対して開口上端４を開く開口位置（図３）と開口上端４を閉じる閉止位置（図１及び図２）との間で回転するカップ状蓋５とを備える。
【００１４】
蓋５が閉じられた際は、外箱２は３組の対向した６つの面を有する多面体形状となる。より具体的には、外箱２は、互いに平行に向かい合う上壁７及び底壁８と、これら上壁７及び底壁８に垂直をなし、長手方向に延びて上壁７の端縁部を底壁８の対応する端縁部に接続する４つの側壁９、１０、１１とを有する。これら４つの側壁９、１０、１１は、平行に対向した２つの主要（即ち、大きな）側壁９、１０と、平行に対向した２つの副（即ち小さな）側壁１１とから成る。より具体的には、一方の大側壁９は外箱２の前壁９を形成し、他方の大側壁１０は外箱２の後壁１０を形成する。尚、４つの長手方向端縁部１２は、２つの小側壁１１と前壁及び後壁９、１０の間に形成され、８つの横方向端縁部１３は、上壁及び底壁７、８と、前壁及び後壁９、１０及び小側壁１１との間に形成される。
【００１５】
パケット１はＵ字型の硬質（即ち、剛性段ボール）カラー１４を有し、同カラー１４は外箱２の内側に接着され、部分的に開口上端４の外側に延び、閉じられた蓋５の対応内面に係合する。カラー１４は、外箱２の前壁０９に接触する前壁１５と、その前壁の両側にあって外箱２の小側壁１１に接触する２つの側壁１６とを有する。好ましい実施形態において、カラー１４は前壁１５から横方向に突出して蓋５の側壁と干渉係合し、蓋５を閉じ位置に保持する２つの突起１７を有する。
【００１６】
図４及び図５に示すように、上壁７及び底壁８は台形、即ち不等辺四辺形（幾何学的には、不等辺四辺形は、同四辺形の“主”底辺と“副”底辺として知られる２つの平行な辺と、同四辺形の斜辺として知られる２つの辺とを備えた四辺形として定義される）の形をしている。具体的には、上壁７は第１の台形形状であり、底壁８は上壁７の第１台形形状とは異なる第２の台形形状を有している。具体的には、図４に示すように上壁７の主底辺は後壁１０に位置し（従って、副底辺は前壁９に位置する）、図５に示すように底壁８の主底辺は前壁９に位置する（従って、副底辺は後壁１０に位置する）。そして、上壁及び底壁７、８に平行な外箱２の断面は長手方向に連続的に変化し、（図６〜図８に示すように）上壁７の第１台形形状を底壁８の第２台形形状へとつないでいる。
【００１７】
図１、図２及び図３に示すように、それぞれの長手方向端縁部１２は、その全長に沿って一定の形状及び大きさを持つ。主要な側壁９（前壁９）は上壁７の副底辺を底壁８の主底辺へとつなぎ、主要な側壁１０（後壁１０）は上壁７の主底辺を底壁８の副底辺へとつなぎ、それぞれの副側壁１１は上壁７の斜辺を底壁８の斜辺につないでいる。図示された実施形態では、上壁７の各底辺は底壁８の各底辺に平行であり、同一の副側壁１１に接続された上部及び底部壁７の斜辺は、対応する底辺に対し反対方向に傾斜している。
【００１８】
図示された実施形態では、上壁７の第１台形形状と底壁８の第２台形形状は等脚台形で正反射関係となっている。
【００１９】
本実施形態では、上壁及び底壁７、８に平行な外箱２の断面（図７）であって、上壁７と底壁８の間の長手方向中央部の断面は長方形となる。このことは、紙巻煙草群のグリッピングを増し、即ちそれらを正しい位置に保持するという、重要な技術的特徴である。好ましい実施形態では、非変形（即ち、変形を受けない）紙巻煙草群の断面は、外箱２の長手方向中央の断面と同じ形状、同じサイズである。ということは、長手方向中央位置では紙巻煙草群は全く変形を受けないし、その他のどんな位置でも僅かの変形しか被らなく（無変形の初期状態から紙巻煙草が僅かにずれたり、少しの圧縮しか受けない状態）、紙巻煙草には悪影響がないということを意味している。換言すれば、硬質紙巻煙草パケットの同等で標準的なもの（即ち、矩形直方体の形態のもの）の外箱は、外箱２の長手方向中央部断面と同一の断面を有することになる。
【００２０】
図示された実施形態では、それぞれの副側壁１１は螺旋型、即ち渦巻き状にカーブしている。
【００２１】
図示された実施形態では、上壁７及び底壁８に平行な外箱２の断面は、どんな位置でも同じ周長を有している（即ち、外箱２は一定周長の断面を有する）。このような特徴により、外観という点でも優れた結果（即ち、見苦しい包装皺のない状態）を伴って外箱２が長方形の透明なプラスチック包装により容易にラッピングできるという点で、このことは重要な特徴である。
【００２２】
図９に示すように、外箱２は、平坦でかつ実質的に長方形のブランク１８から形成され、同ブランクには２本の長手方向折れ線１９と、多数の横方向折れ線２０とが設けられ、長手方向折れ線１９との間で、外箱２の前壁９部分を形成するパネル９’（具体的には、蓋５の一部を形成する前壁９部分）、外箱２の前壁９を形成するパネル７’、外箱２の後壁１０を形成するパネル１０’、外箱２の底壁８を形成するパネル８’、及び外箱２の前壁９の残りの部分を形成するパネル９”、を其々画成している。
【００２３】
パネル９’は横方向の折れ線２０に沿ってフラップ２１につながり、同フラップは１８０°折り畳まれてパネル９の内面に接着され、蓋５を部分的に補強している。
【００２４】
パネル１０’は２枚の翼１１’を有し、これらはパネル１０’の両側にあって、長手方向折れ線１９によってパネル１０’から分離され、外箱２の２つの副側壁１１の内側部分を形成する。パネル９は２枚の翼１１”を有し、これらはパネル９”の両側にあって、長手方向折れ線１９によってパネル９”から分離され、外箱２の２つの副側壁１１の外側部分を形成する。そして、パネル９’は２枚の翼１１”’を有し、これらはパネル９’の両側にあって、長手方向折れ線１９によってパネル９’から分離され、外箱２の２つの副側壁１１の更なる外側部分を形成する。
【００２５】
各翼１１’は２枚のタブ２２を有し、それらは翼１１の両端にあって２本の横方向折れ線２０により翼１１’から分離され、パネル７’、８’の各内面に接触するように９０ °に折り曲げられる。
【００２６】
図１〜図８の実施形態では、端縁部１２及び１３は全て角張ったものである。これに代わる実施形態としては、幾つかの端縁部１２、１３に面取りを施したり、あるいは丸みを帯びさせても良い。より詳しく言えば、図１１及び図１２の実施形態では長手方向端縁部１２が面取りされており、図１３及び図１４の実施形態では長手方向端縁部１２は丸められている。
【００２７】
図示しない代替実施形態としては、紙巻煙草のパケット１がスライド開口タイプとして、外箱２の内部に挿入されかつ外箱２から部分的に分離可能な硬質の内箱を備える。即ち、煙草の小箱１は、紙巻き煙草の一群を含んで外箱２の内側に収容される硬質の内箱を有しており、その内箱は、外箱２に対して、内箱が外箱２内に挿入された状態の閉じ位置と、内箱が外箱から部分的に引き出された状態の開き位置との間でスライドするようになっている。この実施形態では外箱２は蓋５を備えず、１枚の副側壁１１が開口部とって代わり、その開口部を介して、並進移動か、２つの箱をつなぐヒンジ周りの回転のいずれか一方によって内箱が箱２に対してスライドする。必ずしもそうとは限らないが、内箱は通常、外箱２と同じ形状である（外箱２の内側に収めるために、外箱より若干小さくなることは明らかではあるが）。
【００２８】
図１５は図９のブランク１８の変形例を示すものであって、上タブ２２（即ち、外箱２の上壁７を形成するパネル７の両側にあるタブ２２）の形状に関して図９のブランク１８と異なるものである。図１５のブランク１８において、各上タブ２２は、パネル７’の対応鈍内角βと一致する鈍内角βの等脚台形形状である。そして、図１５と図９の両ブランク１８においては、各底タブ（即ち、外箱２の底壁８を形成するパネル８’に隣接するもの）は、パネル８’の対応鋭い内角αに一致する鋭内角αを有する等脚台形形状である。底タブ２２とパネル８’の内角α同士は等しく、折り畳まれた底タブ２２はパネル９”上に完全に載り、より正確で頑丈な紙巻煙草パケット１を作り上げる。そして、同様に上タブ２２とパネル７’の内角β同士は等しく、これもまたより正確で頑丈な紙巻煙草パケット１を作り上げている。
【００２９】
図１６及び図１７は、それぞれのパッケージ内部に挿入されて紙巻煙草パケット１のカートンを成す、２群の紙巻煙草のパケット１を示している。
【００３０】
説明した紙巻煙草のパケット１には多くの利点がある。
【００３１】
まず第一に、グループ内の紙巻煙草は、パケット１を輸送及び取り扱いする際に如何なる特記すべき紙巻煙草の動き（ひいては損傷）を防止するため、紙巻煙草パケット１の外箱２の内部に充分しっかりと保持されている一方で、特にパケットがフルの状態の時（即ちパケット開封時）でも依然としてパケット１の外箱２から紙巻煙草を容易に引き出せるということである。その相反する２つの要件（輸送、取り扱い中の紙巻煙草の移動を防止するため、しっかりと外箱２内に紙巻煙草群を把持すること、及びその煙草群からの最初の煙草の引き抜きを容易にすること）間の効果的妥協点は、上壁７及び底壁８に平行な外箱２の断面が長手方向に連続して変化するといったような、外箱２の斬新な設計故に達成されることになる。
【００３２】
第二に、説明した紙巻煙草パケット１は、標準的な（商用）梱包機でさえも容易に製造可能であり、パケット自体も従来のブランクと僅かしか違わない外箱２のブランクを使用して製造可能であるため、簡単かつ安価に製造される。
【図１】
0005973581.tif 000002
【図２】
0005973581.tif 000003
【図３】
0005973581.tif 000004
【図４】
0005973581.tif 000005
【図５】
0005973581.tif 000006
【図６】
0005973581.tif 000007
【図７】
0005973581.tif 000008
【図８】
0005973581.tif 000009
【図９】
0005973581.tif 000010
【図１０】
0005973581.tif 000011
【図１１】
0005973581.tif 000012
【図１２】
0005973581.tif 000013
【図１３】
0005973581.tif 000014
【図１４】
0005973581.tif 000015
【図１５】
0005973581.tif 000016
【図１６】
0005973581.tif 000017
【図１７】
0005973581.tif 000018